【手続補正書】
【提出日】令和2年2月26日(2020.2.26)
【手続補正１】
【補正対象書類名】明細書
【補正対象項目名】発明の名称
【補正方法】変更
【補正の内容】
【発明の名称】空調衣服の服本体及び空調衣服
【手続補正２】
【補正対象書類名】明細書
【補正対象項目名】０００１
【補正方法】変更
【補正の内容】
【０００１】
本発明は、空調衣服の服本体及び空調衣服に関するものである。
【手続補正３】
【補正対象書類名】明細書
【補正対象項目名】０００６
【補正方法】変更
【補正の内容】
【０００６】
本発明の課題は、表示の確認や操作等の際に、逐一電源装置を取り出す必要のない空調衣服の服本体及び空調衣服を提供することにある。
【手続補正４】
【補正対象書類名】明細書
【補正対象項目名】０００７
【補正方法】変更
【補正の内容】
【０００７】
上記課題を解決するため、請求項１に記載の発明は、空調衣服の服本体において、
電源部から空気導入手段に供給される電力の制御を行う制御部を、前身頃に着脱自在に保持する制御部保持手段を備えることを特徴とする。
請求項２に記載の発明は、請求項１に記載の空調衣服の服本体において、
前記制御部保持手段はポケットであり、当該ポケット内に、前記制御部と前記電源部及び／又は前記空気導入手段とを接続する接続ケーブルを挿通させるためのケーブル挿通部が形成されていることを特徴とする。
請求項３に記載の発明は、空調衣服において、
請求項１又は２に記載の空調衣服の服本体と、
前記服本体の内部に空気を導入する空気導入手段と、
前記空気導入手段に電力を供給する電源部と、
前記電源部に有線通信又は無線通信により接続され、前記空気導入手段に供給される電力の制御を行う制御部と、
を備えることを特徴とする。
【手続補正５】
【補正対象書類名】明細書
【補正対象項目名】０００８
【補正方法】変更
【補正の内容】
【０００８】
請求項４に記載の発明は、請求項３に記載の空調衣服において、
前記制御部は、前記制御部保持手段によって保持された状態で着用者によって視認可能な表示手段を備えることを特徴とする。
【手続補正６】
【補正対象書類名】明細書
【補正対象項目名】０００９
【補正方法】変更
【補正の内容】
【０００９】
請求項５に記載の発明は、請求項４に記載の空調衣服において、
前記表示手段は、前記制御部の上面に備えられた複数のライトであることを特徴とする。
【手続補正７】
【補正対象書類名】明細書
【補正対象項目名】００１０
【補正方法】変更
【補正の内容】
【００１０】
請求項６に記載の発明は、請求項３から５のいずれか一項に記載の空調衣服において、
前記制御部は、前記制御部保持手段によって保持された状態で着用者によって操作可能な操作手段を備えることを特徴とする。
【手続補正８】
【補正対象書類名】明細書
【補正対象項目名】００１１
【補正方法】変更
【補正の内容】
【００１１】
請求項７に記載の発明は、請求項３から６のいずれか一項に記載の空調衣服において、
前記服本体は前身頃に形成された前身頃開口部を備えることを特徴とする。
【手続補正９】
【補正対象書類名】明細書
【補正対象項目名】００１２
【補正方法】変更
【補正の内容】
【００１２】
請求項８に記載の発明は、請求項７に記載の空調衣服において、
前記制御部保持手段は、前記前身頃開口部を覆うポケットであることを特徴とする。
【手続補正１０】
【補正対象書類名】明細書
【補正対象項目名】００１３
【補正方法】変更
【補正の内容】
【００１３】
請求項９に記載の発明は、請求項８に記載の空調衣服において、
前記制御部は、後面側に、前記前身頃開口部と外部空間との間の空気の流通路を確保する空間確保手段を備えることを特徴とする。
【手続補正１１】
【補正対象書類名】明細書
【補正対象項目名】００１４
【補正方法】変更
【補正の内容】
【００１４】
請求項１０に記載の発明は、請求項７に記載の空調衣服において、
前記制御部は前記前身頃開口部を貫通して前記服本体に取り付けられ、前記制御部と前記前身頃開口部との間に、前記服本体の内部と外部空間とを接続する空気の流通路が形成されることを特徴とする。
【手続補正１２】
【補正対象書類名】明細書
【補正対象項目名】００１５
【補正方法】変更
【補正の内容】
【００１５】
請求項１１に記載の発明は、請求項３から１０のいずれか一項に記載の空調衣服において、
前記制御部は、
前記電源部及び前記空気導入手段と接続ケーブルによって接続され、
前記空気導入手段に供給する電力の強度を変換する電力変換手段を備えることを特徴とする。
【手続補正１３】
【補正対象書類名】明細書
【補正対象項目名】００１６
【補正方法】変更
【補正の内容】
【００１６】
請求項１２に記載の発明は、請求項１１に記載の空調衣服において、
前記制御部は、
前記電源部の電池残量を測定する電池残量測定手段と、
前記電力変換手段に対し電力強度を指示する電力強度指示手段と、を備えることを特徴とする。
【手続補正１４】
【補正対象書類名】明細書
【補正対象項目名】００１７
【補正方法】変更
【補正の内容】
【００１７】
請求項１３に記載の発明は、請求項３〜１２のいずれか一項に記載の空調衣服において、
前記空気導入手段はファンであり、
前記服本体は前身頃に形成された前身頃開口部を備え、
前記ファンは、前記前身頃開口部に向くように傾いた状態で、前記服本体に取り付けられることを特徴とする。
【手続補正１５】
【補正対象書類名】明細書
【補正対象項目名】００１８
【補正方法】変更
【補正の内容】
【００１８】
請求項１４に記載の発明は、請求項３〜１３のいずれか一項に記載の空調衣服において、
生体情報の測定を行う生体センサーを備え、
前記制御部は、前記生体センサーと通信を行うための通信手段を備え、前記生体センサーから受信した情報を基に着用者の体調に関する表示を行うことを特徴とする。
【手続補正１６】
【補正対象書類名】明細書
【補正対象項目名】００１９
【補正方法】変更
【補正の内容】
【００１９】
本発明によれば、表示の確認や操作等の際に、逐一電源装置を取り出す必要のない空調衣服の服本体及び空調衣服を提供することができる。
【手続補正１７】
【補正対象書類名】明細書
【補正対象項目名】０１２６
【補正方法】変更
【補正の内容】
【０１２６】
１００、１００Ａ、１００Ｂ、１００Ｃ  空調衣服
１、１Ａ  服本体
１１４，１１４Ａ  前身頃開口部（ケーブル挿通部）
１４、１４Ａ  制御部収納ポケット（ポケット、制御部保持手段）
１４１  後面側孔部（ケーブル挿通部）
１９  保持用ループ（制御部保持手段）
２、２Ａ  ファン（空気導入手段）
３、３Ａ  電源部
４、４Ａ、４Ｂ、４Ｃ、４Ｄ  制御部
４１  表示手段
４２、４２Ａ  操作手段
４５  空間確保手段
４６、４６Ａ  クリップ（制御部保持手段）
５、５Ａ  電源部〜制御部接続ケーブル（接続ケーブル）
６  制御部〜ファン接続ケーブル（接続ケーブル）
【手続補正１８】
【補正対象書類名】特許請求の範囲
【補正対象項目名】全文
【補正方法】変更
【補正の内容】
【特許請求の範囲】
【請求項１】
電源部から空気導入手段に供給される電力の制御を行う制御部を、前身頃に着脱自在に保持する制御部保持手段を備えることを特徴とする空調衣服の服本体。
【請求項２】
前記制御部保持手段はポケットであり、当該ポケット内に、前記制御部と前記電源部及び／又は前記空気導入手段とを接続する接続ケーブルを挿通させるためのケーブル挿通部が形成されていることを特徴とする請求項１に記載の空調衣服の服本体。
【請求項３】
請求項１又は２に記載の空調衣服の服本体と、
前記服本体の内部に空気を導入する空気導入手段と、
前記空気導入手段に電力を供給する電源部と、
前記電源部に有線通信又は無線通信により接続され、前記空気導入手段に供給される電力の制御を行う制御部と、
を備えることを特徴とする空調衣服。
【請求項４】
前記制御部は、前記制御部保持手段によって保持された状態で着用者によって視認可能な表示手段を備えることを特徴とする請求項３に記載の空調衣服。
【請求項５】
前記表示手段は、前記制御部の上面に備えられた複数のライトであることを特徴とする請求項４に記載の空調衣服。
【請求項６】
前記制御部は、前記制御部保持手段によって保持された状態で着用者によって操作可能な操作手段を備えることを特徴とする請求項３から５のいずれか一項に記載の空調衣服。
【請求項７】
前記服本体は前身頃に形成された前身頃開口部を備えることを特徴とする請求項３から６のいずれか一項に記載の空調衣服。
【請求項８】
前記制御部保持手段は、前記前身頃開口部を覆うポケットであることを特徴とする請求項７に記載の空調衣服。
【請求項９】
前記制御部は、後面側に、前記前身頃開口部と外部空間との間の空気の流通路を確保する空間確保手段を備えることを特徴とする請求項８に記載の空調衣服。
【請求項１０】
前記制御部は前記前身頃開口部を貫通して前記服本体に取り付けられ、前記制御部と前記前身頃開口部との間に、前記服本体の内部と外部空間とを接続する空気の流通路が形成されることを特徴とする請求項７に記載の空調衣服。
【請求項１１】
前記制御部は、
前記電源部及び前記空気導入手段と接続ケーブルによって接続され、
前記空気導入手段に供給する電力の強度を変換する電力変換手段を備えることを特徴とする請求項３から１０のいずれか一項に記載の空調衣服。
【請求項１２】
前記制御部は、
前記電源部の電池残量を測定する電池残量測定手段と、
前記電力変換手段に対し電力強度を指示する電力強度指示手段と、を備えることを特徴とする請求項１１に記載の空調衣服。
【請求項１３】
前記空気導入手段はファンであり、
前記服本体は前身頃に形成された前身頃開口部を備え、
前記ファンは、前記前身頃開口部に向くように傾いた状態で、前記服本体に取り付けられることを特徴とする請求項３〜１２のいずれか一項に記載の空調衣服。
【請求項１４】
生体情報の測定を行う生体センサーを備え、
前記制御部は、前記生体センサーと通信を行うための通信手段を備え、前記生体センサーから受信した情報を基に着用者の体調に関する表示を行うことを特徴とする請求項３〜
１３のいずれか一項に記載の空調衣服。